【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後に表示結果を導出し、該表示結果に応じて入賞が発生可能なスロットマシンにおいて、
表示結果が導出される前に、遊技者にとって有利な特別遊技状態への移行を伴う特別表示結果を含む複数種類の表示結果のうちから導出を許容する表示結果を決定する事前決定手段と、
前記事前決定手段の決定結果に応じて前記可変表示部に表示結果を導出する導出制御手段と、
前記特別表示結果が導出されたときに、終了条件が成立するまで、前記特別遊技状態に遊技状態を制御する特別遊技状態制御手段と、
前記特別遊技状態に制御されているときにおいて、前記特別遊技状態とは異なる遊技者にとって有利な特定状態に制御する特定権利を付与するか否かを決定する特定決定手段と、
前記特定決定手段により前記特定権利を付与する旨が決定されたときに、該特定権利を付与する特定権利付与手段と、
前記特別遊技状態が終了したときにおいて、前記特定権利が付与されているときに、該特別遊技状態の終了後に該特定状態に制御する特定状態制御手段と、
前記特別遊技状態に制御されているときに、前記特定決定手段により前記特定権利を付与する旨が決定されている可能性を示唆する示唆演出を実行する示唆演出実行手段とを備え、
前記示唆演出実行手段は、
前記特定決定手段により前記特定権利を付与する旨が決定されたときに、該特定権利を付与する旨が決定されたことを示す情報を、前記特別遊技状態の終了よりも先に報知するか前記特別遊技状態の終了に際して報知するかを決定する報知時期決定手段と、
前記報知時期決定手段の決定結果に応じたタイミングで、前記特定権利を付与する旨が決定されたことを示す情報を報知する特定決定報知手段を含み、
前記特定決定手段により前記特定権利を付与する旨が決定されずに前記特別遊技状態が終了するときには、該特別遊技状態に制御されている間において前記示唆演出実行手段により前記示唆演出が必ず実行される
ことを特徴とするスロットマシン。
【手続補正２】
【補正対象書類名】明細書
【補正対象項目名】００１１
【補正方法】変更
【補正の内容】
【００１１】
上記目的を達成するため、本発明の第１の観点にかかるスロットマシンは、
各々が識別可能な複数種類の識別情報を変動表示可能な可変表示部（可変表示装置２）を備え、
前記可変表示部を変動表示した後に表示結果を導出し、該表示結果に応じて入賞が発生可能なスロットマシン（スロットマシン１）において、
表示結果が導出される前に、遊技者にとって有利な特別遊技状態（ビッグボーナス、レギュラーボーナス）への移行を伴う特別表示結果（ビッグボーナス（Ａ）、ビッグボーナス（Ｂ）、ビッグボーナス（Ｃ）、レギュラーボーナス）を含む複数種類の表示結果のうちから導出を許容する表示結果を決定する事前決定手段（ＣＰＵ１１１：内部抽選（図５（ｂ）））と、
前記事前決定手段の決定結果に応じて前記可変表示部に表示結果を導出する導出制御手段（ＣＰＵ１１１：リール３Ｌ、３Ｃ、３Ｒの停止制御）と、
前記特別表示結果が導出されたときに、終了条件が成立するまで、前記特別遊技状態に遊技状態を制御する特別遊技状態制御手段（ＣＰＵ１１１：ビッグボーナス（Ａ）、ビッグボーナス（Ｂ）またはビッグボーナス（Ｃ）に入賞するとビッグボーナスに、レギュラーボーナスに入賞するとレギュラーボーナスに遊技状態を制御（図６））と、
前記特別遊技状態に制御されているときにおいて、前記特別遊技状態とは異なる遊技者にとって有利な特定状態（ＲＴナビ）に制御する特定権利（ＲＴナビの権利）を付与するか否かを決定する特定決定手段（ＣＰＵ１２１（ステップＳ１２０、Ｓ１２２））と、
前記特定決定手段により前記特定権利を付与する旨が決定されたときに、該特定権利を付与する特定権利付与手段（ＣＰＵ１２１（ステップＳ１２５））と、
前記特別遊技状態が終了したときにおいて、前記特定権利が付与されているときに、該特別遊技状態の終了後に該特定状態に制御する特定状態制御手段（ＣＰＵ１２１：ビッグボーナスでＲＴナビ抽選に当選すると、ナビ権利フラグが設定された状態のまま通常遊技状態に制御される（ステップＳ１２５））と、
前記特別遊技状態に制御されているときに、前記特定決定手段により前記特定権利を付与する旨が決定されている可能性を示唆する示唆演出（示唆演出）を実行する示唆演出実行手段と（ＣＰＵ１２１（ステップＳ１４０））を備え、
前記示唆演出実行手段は、
前記特定決定手段により前記特定権利を付与する旨が決定されたときに、該特定権利を付与する旨が決定されたことを示す情報（報知演出）を、前記特別遊技状態の終了よりも先に報知するか前記特別遊技状態の終了に際して報知するかを決定する報知時期決定手段（ＣＰＵ１２１（ステップＳ１２６））と、
前記報知時期決定手段の決定結果に応じたタイミングで、前記特定権利を付与する旨が決定されたことを示す情報を報知する特定決定報知手段（ＣＰＵ１２１（ステップＳ１２８、Ｓ１６３））を含み、
前記特定決定手段により前記特定権利を付与する旨が決定されずに前記特別遊技状態が終了するときには、該特別遊技状態に制御されている間において前記示唆演出実行手段により前記示唆演出が必ず実行される（ＣＰＵ１２１：払い出しメダル総数が４６５枚を越えさせる役に当選すると示唆演出を必ず実行（ステップＳ１３４（ＹＥＳ）→Ｓ１３７〜Ｓ１４０））
ことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
特定権利を付与する旨が決定されている可能性を示す示唆演出は、特定権利を付与する旨が決定されずに特別遊技状態が終了するときには、特別遊技状態に制御されている間において必ず実行されるものとなっている。
【手続補正８】
【補正対象書類名】明細書
【補正対象項目名】００１７
【補正方法】変更
【補正の内容】
【００１７】
なお、前記示唆演出実行手段が前記示唆演出を実行するか否かを決定するのは、前記特別遊技状態に制御されている間の各ゲームとしても、所定のゲームだけ（例えば、１０ゲーム目、２０ゲーム目など）としてもよい。また、前記示唆演出実行手段は、前記特定権利を付与する旨が決定されていないときにおいて前記特別遊技状態の終了条件が成立し得るゲームで必ず前記示唆演出を実行する旨を決定することにより、該特別遊技状態が終了するまでに前記示唆演出を実行させるものとすることができる。
また、上記第１の観点にかかるスロットマシンでは、特別遊技状態に制御されているときに、該特別遊技状態の終了後に特定状態に制御する特定権利を付与するか否かを決定するものとしているが、特別遊技状態に制御されている間には、特定権利を付与する旨が決定されている可能性を示唆する示唆演出が実行される。また、特定権利を付与する旨が決定されたことを示す情報は、報知時期決定手段の決定に従って特別遊技状態の終了よりも先に報知される場合と特別遊技状態の終了に際して報知される場合がある。
このため、特別遊技状態において特定権利を付与する旨が決定されたことを示す情報が報知されていない場合には、特定権利が付与されていないこともあるが、特定権利が付与されているものの、そのことを示す情報の報知が特別遊技状態の終了に際して報知されるものと決定されている場合もある。このため、特定権利を付与する旨が決定されたことを示す情報が報知されていなくても、遊技者は、なおも特別遊技状態が終了するまで特定権利が付与されていることを期待できるものとなり、遊技の興趣を向上させることができる。
【手続補正９】
【補正対象書類名】明細書
【補正対象項目名】００１８
【補正方法】変更
【補正の内容】
【００１８】
上記第１の観点にかかるスロットマシンは、
遊技者の操作により、前記識別情報の変動表示を停止させることを指示する停止操作手段をさらに備え、
前記特別表示結果は、前記事前決定手段により導出を許容する旨が決定されたときに前記停止操作手段の操作タイミングが適正であることを条件として導出される複数種類の特別表示結果を含み、
前記事前決定手段は、前記入賞表示結果として前記特別表示結果とは異なる一般表示結果の導出を許容するか否かをさらに決定するとともに、少なくとも前記複数種類の特別表示結果同士については互いに排他的に導出を許容するか否かを決定し、
前記導出制御手段は、前記停止操作手段が操作されたときに、該操作から予め定められた最大遅延時間の範囲内で識別情報の変動表示を停止させることで導出可能な表示結果であって前記事前決定手段の決定結果に応じた表示結果を導出させるものであってもよい。
この場合において、上記第１の観点にかかるスロットマシンは、
前記事前決定手段が前記複数種類の特別表示結果のいずれかの導出を許容する旨が決定しているときに、該決定に基づいて対応する種類の特別表示結果が導出されないときに、該許容されている種類の特別表示結果が導出されるまで当該決定を次ゲーム以降に持ち越す特別決定持越手段と、
前記事前決定手段により前記特別表示結果の導出を許容する旨が決定されたときに、１ゲームよりも長い所定ゲーム数の間だけ継続する連続演出を実行するとともに、該特別表示結果の導出を許容する旨が決定されたこととは異なる所定の連続演出開始条件が成立したときに、前記連続演出を実行する連続演出実行手段とをさらに備え、
前記導出制御手段は、
前記複数種類の特別表示結果のいずれかの導出を許容する旨と前記一般表示結果のうちの優先表示結果の導出を許容する旨とが決定されているときにおいて前記停止操作手段が該特別表示結果と該優先表示結果の何れも導出可能なタイミングで操作されたときに、該優先表示結果を導出させるとともに、
前記複数種類の特別表示結果のいずれかの導出を許容する旨が決定されているときには、前記特別表示結果の種類毎に前記最大遅延時間に応じて前記停止操作手段の操作タイミングが定められる特別タイミングのうちの該導出を許容する旨が決定された種類の特別表示結果に対応した特別タイミングで前記停止操作手段が操作されたことを条件として、該導出を許容する旨の決定された種類の特別表示結果を導出させ、
前記複数種類の特別表示結果の少なくとも１種類を導出させるための特別タイミングは、他の少なくとも１種類の特別表示結果を導出させるための特別タイミングとは互いに重複しないタイミングとなっており、該互いに重複しない特別タイミングに応じて定められる前記複数種類の特別表示結果の全てに対応した前記停止操作手段の非重複タイミング数は、複数あり、
前記連続演出が継続する所定ゲーム数は、該連続演出が開始した後に前記可変表示装置に導出された表示結果に応じて変化することがなく、前記非重複タイミング数よりも大きいが、該所定ゲーム数中に前記優先表示結果が導出されるゲーム数の期待値に前記非重複タイミング数を加算すると、該加算結果の数よりも小さくなるものとすることができる。
【手続補正１０】
【補正対象書類名】明細書
【補正対象項目名】００２２
【補正方法】変更
【補正の内容】
【００２２】
上記第１の観点にかかるスロットマシンにおいて、
前記示唆演出実行手段は、遊技者の指示（ビッグボーナス（Ａ）、ビッグボーナス（Ｂ）またはビッグボーナス（Ｃ）の入賞から次のゲームのための賭け数を設定するまでの間における停止ボタン１２Ｌ、１２Ｃ、１２Ｒの操作）に基づいて、前記報知時期決定手段による前記特別遊技状態の終了よりも先に報知するか前記特別遊技状態の終了に際して報知するかの決定確率を変化させる報知時期決定確率変化手段（ＣＰＵ１２１（ステップＳ１４２））をさらに含むものとすることができる。
【手続補正１１】
【補正対象書類名】明細書
【補正対象項目名】００４１
【補正方法】変更
【補正の内容】
【００４１】
上記目的を達成するため、本発明の第３の観点にかかるスロットマシンは、
遊技用価値（メダル）を用いて１ゲームに対して所定数の賭数を設定することによりゲームを開始させることが可能となり、各々が識別可能な複数種類の識別情報を変動表示させる可変表示装置（可変表示装置２）に表示結果が導出されることにより１ゲームが終了し、該可変表示装置に導出された表示結果に応じて入賞が発生可能であるスロットマシン（スロットマシン１）において、
ゲーム毎に前記可変表示装置の表示結果が導出されるよりも前に、遊技者にとって有利な特別遊技状態（ノーマルビッグボーナス、スーパービッグボーナス）への移行を伴う特別表示結果（ビッグボーナス（１）、ビッグボーナス（２））を含む複数種類の入賞表示結果の導出を許容するか否かを決定する事前決定手段（ＣＰＵ１１１：変形例の内部抽選）と、
前記事前決定手段の決定結果に応じて前記可変表示装置に表示結果を導出させる導出制御手段（ＣＰＵ１１１：リール３Ｌ、３Ｃ、３Ｒの停止制御）と、
前記特別表示結果が導出されたときに、予め定められた特別終了条件が成立するまで、前記特別遊技状態に遊技状態を制御する特別遊技状態制御手段（ＣＰＵ１１１：ビッグボーナス（１）に入賞するとノーマルビッグボーナスに、ビッグボーナス（２）に入賞するとスーパービッグボーナスに遊技状態を制御する変形例２）とを備え、
前記特別遊技状態は、所定の第１特別終了条件（１００枚を越える払い出し）が成立することにより終了する第１特別遊技状態（ノーマルビッグボーナス）と、該第１特別終了条件が成立する以前には成立し得ない第２特別終了条件（３００枚を越える払い出し）が成立することにより終了するとともに終了条件以外の遊技性が前記第１特別遊技状態と異ならない第２特別遊技状態（スーパービッグボーナス）とを含み（変形例２）、
前記特別表示結果は、前記第１特別遊技状態への移行を伴う第１特別表示結果（ビッグボーナス（１））と、前記第２特別遊技状態への移行を伴う第２特別表示結果（ビッグボーナス（２））とを含み（変形例２）、
前記スロットマシンは、
前記特別遊技状態において前記第１特別終了条件が成立するまで、該第１特別終了条件の成立後も該特別遊技状態が継続する旨を示唆する示唆演出（変形例２の示唆演出）を実行する示唆演出実行手段（ＣＰＵ１２１：変形例２）を備え、
前記示唆演出実行手段は、
前記第１特定表示結果が導出されたときに、前記第１特別終了条件の成立後も該特別遊技状態が継続することを示す情報（変形例２の報知演出）を、前記第１特別終了条件の成立よりも先に報知するか前記第１特別終了条件の成立に際して報知するかを決定する報知時期決定手段（ＣＰＵ１２１：変形例２）と、
前記報知時期決定手段の決定結果に応じたタイミングで、前記第１特別終了条件の成立後も前記特別遊技状態が継続することを示す情報を報知する特定決定報知手段（ＣＰＵ１２１：変形例２）と、
前記報知時期決定手段により前記第１特別終了条件の成立に際して報知することが決定されたときに、該報知時期決定手段の決定より後に実行される示唆演出を、前記第２特別表示結果の導出に基づいて制御された特別遊技状態において実行される示唆演出と同一の態様で実行する終了時報知示唆演出実行手段（ＣＰＵ１２１：変形例２）とを含む
ことを特徴とする。
なお、特定決定手段により特定権利を付与する旨が決定されない限り、特定権利を付与する旨が決定されたことを示す情報が報知されることはなく、特別遊技状態が終了するまで示唆演出が実行されるものとなる。ここで、特定権利を付与する旨が決定されても、特定権利を付与する旨が決定されたことを示す情報を特別遊技状態の終了に際して報知することが決定された場合に実行される示唆演出は、特定権利を付与する旨が決定されなかったときに実行される示唆演出と同一の態様で実行されるものとなっている。
【手続補正１２】
【補正対象書類名】明細書
【補正対象項目名】０１８１
【補正方法】変更
【補正の内容】
【０１８１】
停止コマンドは、停止ボタン１２Ｌ、１２Ｃ、１２Ｒが操作されたときに送信される。各々が対応するリール３Ｌ、３Ｃ、３Ｒが停止していない状態で停止ボタン１２Ｌ、１２Ｃ、１２Ｒの操作されたときに送信される停止コマンドは、操作された停止ボタン１２Ｌ、１２Ｃ、１２Ｒの種類（停止されるリール３Ｌ、３Ｃ、３Ｒの種類）と停止される図柄の種類とを示す。各々が対応するリール３Ｌ、３Ｃ、３Ｒが既に停止している状態で停止ボタン１２Ｌ、１２Ｃ、１２Ｒの操作されたときに送信される停止コマンドは、操作された停止ボタン１２Ｌ、１２Ｃ、１２Ｒの種類のみを示す。
【手続補正１３】
【補正対象書類名】明細書
【補正対象項目名】０２０２
【補正方法】変更
【補正の内容】
【０２０２】
例外としては、ＲＴナビ抽選に当選し、報知演出をビッグボーナスの終了時に実行することを決定した場合において、ＲＴナビ抽選に当選した以後に示唆演出の実行を決定する確率を高くする場合がある。すなわち、ＲＴナビ抽選に当選し、報知演出をビッグボーナスの終了時に実行することを決定したときには、以後における示唆演出の実行を決定する確率を高くするか否かを決定する。示唆演出の実行を決定する確率を高くする旨を決定する確率は、例えば、１／８程度とする。示唆演出の実行を決定する確率を高くする旨を決定した場合には、以後において示唆演出を実行することを決定する確率が、１／４程度となる。
【手続補正１４】
【補正対象書類名】明細書
【補正対象項目名】０２６１
【補正方法】変更
【補正の内容】
【０２６１】
３００ゲームの消化により有利ＲＴから通常遊技状態に制御されることとなる場合でもなければ、今回のゲーム限りでビッグボーナスの遊技状態が終了することとなるのかどうかを判定する（ステップＳ１６１）。今回のゲーム限りでビッグボーナスの遊技状態が終了するのでなければ、そのままステップＳ１０１の処理に戻る。
【手続補正１５】
【補正対象書類名】明細書
【補正対象項目名】０２６５
【補正方法】変更
【補正の内容】
【０２６５】
もっとも、そもそもＲＴナビ抽選に当選しない限り、報知演出が実行されることはなく、ビッグボーナスが終了するまでの各ゲームの決定に従って報知演出が実行されることがある。ここで、ＲＴナビ抽選に当選してＲＴナビの権利が付与されている場合でも、報知演出をビッグボーナスの終了時に実行することが決定されているときには、当該ビッグボーナスが終了するまでの示唆演出は、通常は、ＲＴナビ抽選に当選していないときと同じ確率で実行されるものとなっている。
【手続補正１６】
【補正対象書類名】明細書
【補正対象項目名】０３８３
【補正方法】変更
【補正の内容】
【０３８３】
以上説明したように、この第１の変形例のスロットマシン１では、ビッグボーナスの終了後にＲＴに制御される旨を報知する報知演出が実行されていない場合には、ビッグボーナス（１）の入賞に基づくビッグボーナスであって終了後にＲＴには制御されないという場合もあるが、ビッグボーナス（２）の入賞に基づくビッグボーナスであって終了後にＲＴに制御されるものの、ビッグボーナスの終了時において報知演出を実行することが決定されている場合もある。